(57)【要約】【課題】小型の投影装置を携帯するに際して、投影装置とともに携帯でき、電力を供給することもできる投影装置用載置台を提供する。【解決手段】投影装置１０は、投影装置用載置台１００の載置面に載置される。投影装置１０は、投影装置用載置台１００の載置面に設けられる着脱係合部により投影装置用載置台１００と着脱自在に係合される。そして、投影装置用載置台１００は、投影装置１０に電力を供給する電力供給部を備える。電力供給部は、電源プラグ部１５１を有し、投影装置１０のプラグ差込口と接続して、投影装置１０に電力を供給する。さらに、投影装置用載置台１００は、二次電池からなるバッテリーを備えている。【選択図】  図１
2015179176.tif 000002
【特許請求の範囲】
【請求項１】
投影装置が載置される投影装置用載置台であって、
箱型形状に形成される載置台本体部からなり、
前記載置台本体部の上面が、前記投影装置が載置される載置面となり、
前記載置台本体部は、
前記載置面に設けられ、前記投影装置と着脱自在に係合する着脱係合部と、
内部に設けられ、前記投影装置に電力を供給する電力供給部と、
を有することを特徴とする投影装置用載置台。
【請求項２】
前記電力供給部は、二次電池を有することを特徴とする請求項１に記載の投影装置用載置台。
【請求項３】
前記電力供給部は、ＡＣ／ＤＣ変換器を有することを特徴とする請求項１又は請求項２に記載の投影装置用載置台。
【請求項４】
前記載置台本体部は、ＡＣ入力部を有することを特徴とする請求項１乃至請求項３の何れか記載の投影装置用載置台。
【請求項５】
前記載置台本体部は、ＤＣ出力部を有することを特徴とする請求項１乃至請求項４の何れか記載の投影装置用載置台。
【請求項６】
前記着脱係合部は、磁力により前記投影装置と着脱自在に係合することを特徴とする請求項１乃至請求項５の何れか記載の投影装置用載置台。
【請求項７】
前記着脱係合部は、前記投影装置に設けられた磁石と相互に吸着することを特徴とする請求項６に記載の投影装置用載置台。
【請求項８】
前記着脱係合部は、前記投影装置と機構的に係合することを特徴とする請求項１乃至請求項７の何れか記載の投影装置用載置台。
【請求項９】
前記着脱係合部は、第一着脱係合部と、第二着脱係合部と、により形成され、
前記載置面に前記投影装置を載置して係合するとき、
前記第一着脱係合部により、前記投影装置は横向きとして係合され、
前記第二着脱係合部により、前記投影装置は縦向きとして係合されることを特徴とする請求項１乃至請求項８の何れか記載の投影装置用載置台。
【請求項１０】
前記載置面は、前記載置面と係合する前記投影装置の縦向き時の被載置面より広いことを特徴とする請求項１乃至請求項９の何れか記載の投影装置用載置台。
【請求項１１】
前記載置台本体部は、下面に前記載置面の水平度を調整可能とする調整部を有することを特徴とする請求項１乃至請求項１０の何れか記載の投影装置用載置台。
【請求項１２】
前記載置台本体部は、前記投影装置を遠隔操作するためのリモートコントローラを収納する収納部を有することを特徴とする請求項１乃至請求項１１の何れか記載の投影装置用載置台。
【請求項１３】
請求項１乃至請求項１２の何れか記載の投影装置用載置台と、
投影画像を投影する投影部が設けられ、箱型形状に形成された投影装置と、を有し、
前記投影装置の最大面と前記載置面とが略同じ大きさであることを特徴とする投影システム。
【請求項１４】
前記投影装置は、縦置き時に前記最大面より小さい面を下にして前記載置面に載置されることを特徴とする請求項１３に記載の投影システム。
【請求項１５】
前記投影装置の縦横の向きを検出する投影装置縦横検出部と、
前記投影装置の前記投影装置用載置台への載置を検出する載置台載置検出部と、
前記投影部を制御する制御部と、
を有し、
前記制御部は、前記投影装置縦横検出部により前記投影装置の向きが縦向きであると検出された場合に、前記載置台載置検出部の検出結果に基づいて、前記投影部が投影する投影光の輝度を制御することを特徴とする請求項１３又は請求項１４に記載の投影システム。
【請求項１６】
前記制御部は、前記投影装置縦横検出部により前記投影装置の向きが縦向きであると検出された場合に、前記載置台載置検出部の検出結果に基づいて、前記投影部が投影する投影光の焦点を制御することを特徴とする請求項１３乃至請求項１５の何れか記載の投影システム。
【請求項１７】
投影装置の設置方向を縦方向か横方向かを使用者が選択する投影方向選択工程と、
前記投影方向選択工程で選択した設置方向に合わせて、前記投影装置を投影装置用載置台の載置面に装着する装着工程と、
前記投影装置用載置台に設けられた電力供給部と前記投影装置を接続する電源接続工程と、
前記投影装置用載置台に前記投影装置を載置して投影する投影画像の投影工程と、
を有することを特徴とする投影システムの投影方法。
【発明の詳細な説明】
【技術分野】
【０００１】
本発明は、投影装置を載置する投影装置用載置台と、この投影装置用載置台とこの投影装置用載置台に載置される投影装置とにより構成される投影システム及びこの投影システムによる投影方法に関する。
【背景技術】
【０００２】
従来、展示会や会議等におけるプレゼンテーション等をする際には、プロジェクタ等の投影装置が用いられている。そして、近年では、携帯可能なノート型のパーソナルコンピューターとともにモバイル用の小型プロジェクタを携帯して、様々な場所でプロジェクタ等の投影装置を用いたプレゼンテーション等がなされている。
【０００３】
このように、投影装置を使用する場所が異なる場合、場所によっては必ずしもスクリーンが設置されているとは限られず、スクリーンの代わりに壁面や机上面を代用して投影画像を投影することとなる。この場合、投影装置と、壁面や机上面等の投影面との距離は投影装置を使用する場所ごとに異なるので、投影面のサイズや輝度調整等を投影する度に調整する必要がある。
【０００４】
特許文献１においては、このようなモバイル用のプロジェクタとして、机上に設置する台座から垂直方向に伸びる伸縮自在な支柱に取り付けられたプロジェクタが開示されている。このプロジェクタにおいては、下方向の机上に向けて投影画像を投影する。そして、伸縮自在な支柱を調整して、投影面のサイズを調整し、制御手段により投影光の輝度調整がされる。
【先行技術文献】
【特許文献】
【０００５】
【特許文献１】特開２００８−７６５８２号公報
【発明の概要】
【発明が解決しようとする課題】
【０００６】
しかしながら、特許文献１に開示されるプロジェクタは、高圧水銀ランプ等を高圧電源で点灯させるものとしている。このため、場所によっては、電源であるコンセントから電源コードを引き回すことが困難である等、使用場所が制限されることがある。
【課題を解決するための手段】
【０００７】
本発明の投影装置用載置台は、投影装置が載置される投影装置用載置台であって、箱型形状に形成される載置台本体部からなり、前記載置台本体部の上面が、前記投影装置が載置される載置面となり、前記載置台本体部は、前記載置面に設けられ、前記投影装置と着脱自在に係合する着脱係合部と、内部に設けられ、前記投影装置に電力を供給する電力供給部と、を有することを特徴とする。
【０００８】
本発明の投影システムは、上述の投影装置用載置台と、投影画像を投影する投影部が設けられ、箱型形状に形成された投影装置と、を有し、前記投影装置の最大面と前記載置面とが略同じ大きさであることを特徴とする。
【０００９】
本発明の投影システムの投影方法は、投影装置の設置方向を縦方向か横方向かを使用者が選択する投影方向選択工程と、前記投影方向選択工程で選択した設置方向に合わせて、前記投影装置を投影装置用載置台の載置面に装着する装着工程と、前記投影装置用載置台に設けられた電力供給部と前記投影装置を接続する電源接続工程と、前記投影装置用載置台に前記投影装置を載置して投影する投影画像の投影工程と、を有することを特徴とする。
【発明の効果】
【００１０】
本発明によれば、電源供給機能を活かすとともに、使用時には投影面のサイズ、位置等を調整することができる投影装置用載置台、この投影装置用載置台と投影装置により構成される投影システム及びこの投影システムの投影方法を提供することができる。
【図面の簡単な説明】
【００１１】
【図１】本発明の実施形態に係る投影装置用載置台に投影装置が横向きに載置された状態を上方から見た外観斜視図である。
【図２】本発明の実施形態に係る投影装置の投光口蓋を開口したときの外観斜視図である。
【図３】本発明の実施形態に係る投影装置用載置台に投影装置が横向きに載置された状態を下方から見た外観斜視図である。
【図４】本発明の実施形態に係る投影装置を下方から見た外観斜視図である。
【図５】本発明の実施形態に係る投影装置用載置台を上方から見た外観斜視図である。
【図６】本発明の投影装置用載置台の電力供給部の機能ブロック図である。
【図７】本発明の実施形態に係る投影装置用載置台に投影装置が横向きに載置された状態で壁に投影したときの説明図である。
【図８】本発明の実施形態に係る投影装置用載置台に投影装置が縦向きに載置された状態で机上に投影したときの説明図である。
【図９】本発明の実施形態に係る投影装置用載置台から投影装置を取り外して縦向きに使用したときの説明図である。
【図１０】本発明の実施形態に係る投影システムが行う処理のフロー図である。
【図１１】本発明の投影装置用載置台の別の構成における電力供給部の機能ブロック図である。
【図１２】本発明の投影装置用載置台のさらに別の構成における電力供給部の機能ブロック図である。
【発明を実施するための形態】
【００１２】
以下、本発明の実施形態を図に基づいて説明する。図１は本発明の実施形態に係る投影装置用載置台１００に投影装置１０が横向きに（横置きで）載置された状態を上方から見た外観斜視図である。図２は投影装置１０の投光口蓋２１を開口した状態を上方から見た外観斜視図である。なお、本実施形態において、上下とは投影装置１０が横向きに載置された状態に基づいて定義され、投光口蓋２１の有る面を上、逆側の面を下とする。そして、投影装置１０における前後とは、投光口蓋２１の開口側を前方とし、投光口蓋２１の回動支点側を後方とする。
【００１３】
図１に示すように、投影装置１０は、本体部２０を略直方体状の箱型形状として形成される。投影装置１０は、Ａ５乃至Ａ４程度のサイズの小型のプロジェクタである。そして、投影装置１０は、光源や、この光源からの光源光が照射される表示素子としてのＤＭＤ（デジタル・マイクロミラー・デバイス）、このＤＭＤから出射される投影画像を投光口蓋２１から出射させる投影光学系等の光学系を備える投影部が設けられている。そして、この投影部は、制御部により制御されている。
【００１４】
本体部２０の四隅の角部はＲ面取り状に形成されている。ここで、本体部２０における最大面の一つである下面を第一の面３０（図４参照）と称し、前方側の側面を第二の面４０と称す。本体部２０の上面には、開閉自在に形成される投光口蓋２１が設けられている。図２に示すように、投光口蓋２１は、長方形に形成される上面の一方端側を回動支点として開口される。投光口蓋２１の内側の面には、非球面ミラー５１が設けられている。投光口蓋２１の内側における本体部２０の内部には、平面ミラー５２が設けられている。さらに、左右方向を平面ミラー５２と同じ位置とする開口部分の縁部の本体部２０には、投射口５３が設けられている。本体部２０の内部に設けられた投影部からの投影光は、この投射口５３から非球面ミラー５１に向けて出射される。投射口５３から出射された投影光は、非球面ミラー５１により、平面ミラー５２に向けて反射される。そして、この平面ミラー５２により投影光は前方に出射され、投影面に対して投影画像が投影される。
【００１５】
一方、本体部２０の上面には、スピーカー７０が設けられている。また、第二の面４０と左右の側面が交差する位置はＲ面取り状に形成され、その曲面上には凹部４１が設けられている。凹部４１は、上下方向に長い溝状に形成されている。また、本体部２０の左側面には、本体部２０の内部装置を冷却するための吸排気に用いられる吸排気孔２２が設けられている。
【００１６】
投影装置１０は、本体部２０の下面を投影装置用載置台１００の上面と合わせるようにして投影装置用載置台１００に載置されている。投影装置用載置台１００の本体部である載置台本体部１４０は、略直方体状の箱型形状に形成されている。載置台本体部１４０の側面は、投影装置１０の本体部２０の側面と略同一平面となるように、その側面外形は形成されている。これにより、投影装置１０と組み合わせても、外観デザインがよく、携帯性も優れた外形となっている。
【００１７】
この載置台本体部１４０の前側の側面には、投影装置１０に電力を供給するための電源プラグ部１５１が設けられている。電源プラグ部１５１は、載置台本体部１４０の前側の側面から伸びる電源コード１５２と、電源コード１５２の端部に設けられた接続プラグ１５３により構成されている。
【００１８】
また、図１に示すように、載置台本体部１４０の前側の側面下方には、投影装置１０を遠隔操作するためのリモートコントローラ２００を収納可能に形成されるリモートコントローラ収納部１２０が設けられている。このリモートコントローラ収納部１２０は、載置台本体部１４０の前側の側面に開口し、リモートコントローラ２００の略全体を収納する袋状とされている。そして、リモートコントローラ収納部１２０は、内部に係止部を備えている。
【００１９】
よって、リモートコントローラ２００がリモートコントローラ収納部１２０に挿入されると、リモートコントローラ２００は、係止部により固定されてリモートコントローラ収納部１２０に収納される。そして、リモートコントローラ収納部１２０の開口から僅かに突出するリモートコントローラ２００の側部を押し込むと、リモートコントローラ２００は、係止部による固定が外れるとともにバネにより僅かに押し出されるので、リモートコントローラ収納部１２０から取り出すことができる。
【００２０】
図３は、投影装置１０が横向きに投影装置用載置台１００に載置された状態を後側の下方から見た斜視図である。投影装置１０の本体部２０の右側の側面には、吸排気孔２２や、電源スイッチ、ＵＳＢ端子、アナログＲＧＢ映像信号が入力される映像信号入力用のＤ−ＳＵＢ端子等が配置される入出力コネクタ部や、リモートコントローラ受信部及び電源アダプタプラグのプラグ差込口６１等の各種端子（群）６０が設けられている。
【００２１】
投影装置用載置台１００の載置台本体部１４０の下面の四隅には、投影装置用載置台１００の水平度を調整可能とする調整部であるチルトフット１３０が設けられている。チルトフット１３０の下面は、下方に凸湾曲状に形成されている。チルトフット１３０は、載置台本体部１４０の水平面の傾き調整用の調節部である。このため、チルトフット１３０は、載置台本体部１４０の下面と螺合接続されており、チルトフット１３０を回転させることにより、それぞれの高さを調整することができる。なお、チルトフット１３０の外周には、手動による回転操作がし易いように、上下方向に多数の溝が設けられている。
また、載置台本体部１４０の後側の側面には、ＡＣアダプター１５５が接続されるＡＣアダプター差込口１５４（ＡＣ入力部）が設けられている。
【００２２】
図４は、投影装置１０を後側の下方から見た外観斜視図である。よって、図４は、投影装置１０が投影装置用載置台１００から取り外されている状態を示している。前述の通り、本体部２０における下面は第一の面３０とされている。第一の面３０には、前後二箇所に係合部３５が設けられている。係合部３５は、本体部２０の下面から突出し、断面を凸湾曲状として左右方向に長く伸びて設けられている。係合部３５は、投影装置用載置台１００に投影装置１０を載置する際の位置合わせに用いられる。
【００２３】
また、第一の面３０には、第一の面３０の四隅近傍のそれぞれに、磁石３１が内蔵されている。磁石３１は、合計して四個設けられている。この磁石３１の磁力は第一の面３０上に形成される。そして、この磁石３１は、後述の投影装置用載置台１００に設けられた着脱係合部の磁石と相互に吸着する。
【００２４】
図５は、投影装置用載置台１００を上方からみた外観斜視図である。ここで、前後左右の方向については、図１と同様に、リモートコントローラ収納部１２０が設けられている側を前方向とし、反対方向を後方向として説明する。また、前を向いたときの右手側を右方向とする。
【００２５】
投影装置用載置台１００の載置台本体部１４０の上面は、投影装置１０が載置される載置面１４１が形成されている。載置面１４１は、その外形を投影装置１０の第一の面３０と略同等として形成されている。換言すれば、投影装置１０の最大面の一つである第一の面３０と載置面１４１とは同一の大きさである。載置面１４１の下方には、四隅近傍に磁石１３１が内蔵される。この磁石１３１の磁力は載置面１４１上に形成される。そして、前述の投影装置１０の第一の面３０に磁力が形成されるように設けられた磁石３１とこの磁石１３１は、それぞれ対向して吸着するように設けられ、投影装置１０を固定する着脱係合部を形成する。
【００２６】
また、載置面１４１の中央には、長手方向を載置面１４１と合わせた上面視長方形の凹部として固定部１１０が設けられている。固定部１１０の後側の短辺には、係合突起１１１が前方に向けて突出している。この係合突起１１１は、投影装置１０の凹部４１（図１参照）に挿入可能に形成されている。係合突起１１１と反対側の固定部１１０の短辺（換言すれば固定部１１０の前側の短辺）には、係合作動部１１２が設けられている。
【００２７】
係合作動部１１２も係合突起１１１と同様に、投影装置１０の凹部４１に挿入可能に形成されている。係合作動部１１２は、前後に移動可能に形成されている。そして、係合作動部１１２は、載置面１４１上に突出する操作レバー１１４と連結されている。操作レバー１１４は、前後に移動可能に形成されている。そして、操作レバー１１４及び係合作動部１１２は、図示しないバネ等の弾性部材により後方向に付勢されている。そして、操作レバー１１４を手動により前方向に移動させると、係合作動部１１２は載置台本体部１４０内に没入する。なお、操作レバー１１４は、操作レバー１１４の周囲を壁面により囲われて、前後の移動は左右の壁面によりガイドされ、前後の移動限は前後の壁面により規制されている。
【００２８】
また、係合突起１１１及び係合作動部１１２の左右両脇には、凹湾曲状に形成される当接部１１６，１１７が設けられている。この当接部１１６，１１７は、投影装置１０が縦置きされる際に、本体部２０の第二の面４０と左右の側面とが交わるＲ面取り状の角部と当接するように形成されている。よって、投影装置１０を縦向きに固定部１１０に載置する場合には、固定部１１０の底部と第二の面４０が当接するとともに、当接部１１６，１１７も投影装置１０の角部と当接するので、より安定して投影装置１０を支持することができる。
【００２９】
なお、投影装置１０が横向きに載置面１４１に載置される場合は、投影装置１０の第一の面３０における係合部３５が固定部１１０における当接部１１６，１１７の位置に挿入されることにより、投影装置１０は位置合わせされる。
【００３０】
以上説明した構成により、投影装置１０と投影装置用載置台１００は着脱自在に係合される。ここで、投影装置用載置台１００の載置面１４１に設けられ、投影装置１０と着脱自在に係合する着脱係合部は、第一着脱係合部と、第二着脱係合部とにより形成される。そして、投影装置１０を横向きに載置する際に投影装置１０と係合する第一着脱係合部は、投影装置１０に設けられた磁石３１と相互に磁力により吸着する載置面１４１上に形成された磁石１３１である。また、投影装置１０を縦向きに載置する際に投影装置１０と係合する第二着脱係合部は、投影装置１０と機構的に係合する固定部１１０である。
【００３１】
また、載置台本体部１４０の前側の側面には、前述の通り、電源プラグ部１５１と、リモートコントローラ収納部１２０が設けられている。そして、載置台本体部１４０の後側の側面には、ＡＣ入力部としてのＡＣアダプター差込口１５４が設けられている。ＡＣアダプター差込口１５４には、ＡＣアダプター１５５の差込プラグ１５６を差し込むことができる。そして、ＡＣアダプター１５５は、交流電源と接続するコンセントプラグ１５７が設けられている。また、載置台本体部１４０の内部には、後述のバッテリー（二次電池）１５８（図６参照）が設けられている。バッテリー１５８は、載置台本体部１４０内部でＡＣアダプター差込口１５４及び電源プラグ部１５１と電気的に接続されている。
【００３２】
図６は、投影装置１０に電力を供給する電力供給部１５０と、電源１８０，ＡＣアダプター１５５，投影装置１０の電気的な接続状態を示すブロック図である。
本実施形態では、投影装置用載置台１００は、電力供給部１５０として、バッテリー１５８と、電源制御部ＩＣ等からなる電源制御部１５９とを含む。
【００３３】
電源１８０は、コンセントであって、ＡＣアダプター１５５のＡＣ入力側のコンセントプラグ１５７が接続され、ＡＣアダプター１５５のＤＣ出力側の差込プラグ１５６は、ＡＣアダプター差込口１５４と接続される。ＡＣアダプター差込口１５４は、電源制御部１５９と接続される。電源制御部１５９は、二次電池であるバッテリー１５８と接続されるとともに、ＤＣ出力部である電源プラグ部１５１と接続される。そして、電源プラグ部１５１は、投影装置１０と接続される。よって、投影装置１０に電力を供給する電力供給部１５０は、バッテリー１５８、電源制御部１５９及び、投影装置用載置台１００に設けられているＡＣアダプター差込口１５４と電源プラグ部１５１とにより形成されている。
【００３４】
電源制御部１５９は、電力供給部１５０に電源１８０からの電力が供給されている場合（換言すれば、電源１８０がＡＣアダプター１５５を介してＡＣアダプター差込口１５４に接続されている場合）、バッテリー１５８を充電するか否かの制御や、出力（負荷）と充電電流のバランス制御等を行っている。
【００３５】
すなわち、電源制御部１５９は、電力供給部１５０に電源１８０からの電力が供給されている場合には、バッテリー１５８の充電状況を測定して、満充電でない場合には電流をバッテリー１５８に流してバッテリー１５８を充電する。また、電力供給部１５０と接続される投影装置１０が消費する電力に合わせて、投影装置１０への電力供給と、バッテリー１５８への充電電流とのバランス制御を行う。
【００３６】
また、電源制御部１５９は、電力供給部１５０に電源１８０からの電力が供給されていない場合（換言すれば、電源１８０とＡＣアダプター差込口１５４とがＡＣアダプター１５５を介して接続されていない場合）、バッテリー１５８から電力を出力するよう切り替え制御を行っている。
【００３７】
図７は、投影装置１０を投影装置用載置台１００に横向きに載置して、壁面等に投影している様子を示す外観斜視図である。ここで、図４及び図５等も参照して、投影装置１０を投影装置用載置台１００に横向きに載置する方法を説明する。まず、投影装置１０の本体部２０の外周の側面と、投影装置用載置台１００の載置台本体部１４０の外周の側面とが合わさるようにして、投影装置１０の下面である第一の面３０と載置面１４１とを接合させる。
【００３８】
第一の面３０と載置面１４１とを近づけると、第一の面３０の磁石３１と載置面１４１の磁石１３１が互いに吸着して、接合する。このとき、第一の面３０に設けられる係合部３５が、載置面１４１の固定部１１０の凹部における前後端部分に挿入され、係合する。よって、この係合部３５と固定部１１０との係合は、投影装置１０が投影装置用載置台１００に対して横向きに載置される際の位置合わせとして機能する。なお、投影装置１０を投影装置用載置台１００に横向きにして載置する場合、電源プラグ部１５１がプラグ差込口６１に届きやすいよう互いが一番近づく向きに載置するのが好適である。
【００３９】
図８は、投影装置１０を投影装置用載置台１００に縦向き（縦置き）に載置して、机上に投影している様子を示す外観斜視図である。このように、投影装置１０を投影装置用載置台１００に縦向きに載置するには、投影装置１０の前方側の側面である第二の面４０を下向きに被載置面として、一方側の凹部４１を係合突起１１１に挿入して係合させる（図１、２、５参照）。そして、他方側の凹部４１がある本体部２０のＲ面取り状に形成された角部を係合作動部１１２と当接させて、投影装置１０の他方側を下方に動かす。すると、角部の丸味により係合作動部１１２は一旦押し込まれ、凹部４１と係合する位置で係合作動部１１２は突出し、凹部４１に係合作動部１１２は挿入される。このようにして、第二の面４０と固定部１１０とが係合する。
【００４０】
図７及び図８に示すように、投影装置１０を横向きや縦向きにして投影装置用載置台１００に載置することにより、図７に示すように壁面等を投影面として投影したり、図８に示すように机上を投影面として投影したりすることができる。また、投影装置１０を使用するための電源コンセントが無い場合でも、バッテリー１５８により投影装置１０を使用することができる。
【００４１】
図９は、投影装置１０を投影装置用載置台１００に載置せずに、第二の面４０を下にして机上等に設置した場合の外観斜視図である。このように、投影装置１０は、投影装置用載置台１００に載置することなく使用することができる。この場合においても、投影装置用載置台１００の電源プラグ部１５１を投影装置１０のプラグ差込口６１に差し込めば、投影装置１０は、バッテリー１５８を電源とすることができる。また、投影装置用載置台１００とＡＣアダプター１５５とを接続し、電源コンセントにコンセントプラグ１５７を差し込めば、コンセントを電源とすることもできる。
【００４２】
また、図示しないが、安定性を確保するために、投影装置用載置台１００と同等の底面積を有し、電源供給機能を有さない厚さの薄い支持板に、投影装置１０を載置して投影するようにしてもよい。
また、図示しないが、投影装置１０を横向きに投影する場合も、投影装置用載置台１００に載置せずに、投影してもよいことは、もちろんである。
【００４３】
ここで、図８のように投影装置用載置台１００に投影装置１０を縦向きに載置した場合は、図９のように投影装置用載置台１００に投影装置１０を載置しない場合に比べて、投影面の大きさが大きくなる。投影装置１０の投影光が出射する平面ミラー５２（図２参照）から机上等の投影面までの距離である投影距離が長くなるからである。よって、机上等における投影可能なスペースに合わせて、投影画像を大きく投影したい場合には投影装置用載置台１００に投影装置１０を載置して投影し、投影画像を小さく投影したい場合には、投影装置用載置台１００に投影装置１０を載置せずに投影するといったように、使い分けることができる。
【００４４】
このように、投影装置１０を投影装置用載置台１００に縦向きに載置した場合、投影面を大きくすることができるが、投影距離が長くなる分、投影画像が暗くなってしまう。この場合、手動にて輝度調整を行うこともできるが、ここでは、自動的に輝度調整が行われるようにすることを考える。
【００４５】
そのために、投影装置１０、投影装置用載置台１００からなる投影システムには、投影装置縦横検出部を設け、投影装置が縦向きか横向きかを検出するようにする。具体的には、投影装置縦横検出部は、例えば加速度センサーを用いて形成して、投影装置１０に設けることができる。さらに、投影システムには、載置台載置検出部を設け、投影装置１０が投影装置用載置台１００に載置されているか否かを検出するようにする。具体的には、載置台載置検出部は、例えば、投影装置１０又は投影装置用載置台１００の一方に設けたリミットスイッチ等のセンサーにより形成することができる。
【００４６】
一方、前述の通り、投影装置１０には、投影部を制御する制御部が設けられている。そこで、投影装置縦横検出部と載置台載置検出部を、この制御部と接続する。
【００４７】
そして、制御部は、図１０に示すような処理を行う。
まず、制御部は、投影装置縦横検出部からの検出信号により投影装置１０の向きが縦向きであるか否かを判定する（ステップＳ１００）。
ステップＳ１００で、縦向きであると判定された場合は、処理は、ステップＳ２００に進み、制御部は、載置台載置検出部からの信号により載置台に載置されているか否かを判定する（ステップＳ２００）。
ステップＳ２００で、載置台に載置されていると判定された場合は、処理はステップＳ３００、Ｓ４００に進む。
ステップＳ３００では、輝度調整として、輝度が高めの輝度に調整される。
ステップＳ４００では、焦点調整として、焦点が拡大投影用に調整される。
【００４８】
一方、ステップＳ２００で、載置台に載置されていないと判定された場合は、処理はステップＳ３１０、Ｓ４１０に進む。
ステップＳ３１０では、輝度調整として、通常の輝度に調整される。
ステップＳ４１０では、焦点調整として、焦点が通常投影用に調整される。
また、ステップＳ１００で、縦向きでないと判定された場合は、処理はステップＳ３２０、Ｓ４２０に進む。
ステップＳ３２０では、輝度調整として、輝度が手動で調整される手動調整モードに入る。
ステップＳ４２０では、焦点調整として、焦点が手動で調整される手動調整モード、あるいは、スクリーンまでの距離に応じて焦点調整されるオートフォーカスモードに入る。
【００４９】
このように、投影装置縦横検出部により投影装置１０の向きが縦向きであると検出し、載置台載置検出部により投影装置用載置台１００に投影装置１０が載置されていると検出された場合には、投影装置１０が投影装置用載置台１００に縦向きに載置されていない場合に比べて投影光が明るくなるように、所定の設定値により投影するよう載置台載置検出部の検出結果に基づいて投影部が制御される。また、このような輝度調整に加えて、焦点調整も自動で行われるようにすることができる。
【００５０】
すなわち、投影装置１０を縦向きで使用する場合には、投影光が出射する平面ミラー５２から投影面である机上等までの投影距離は、投影装置用載置台１００に載置する場合と載置しない場合との二通りのみとなる。よって、投影装置１０にあらかじめ輝度や焦点を設定しておくことにより、投影システムは、投影装置１０の縦向き時には、載置の状況に応じて、自動的に輝度や焦点を調整することができる。
なお、自動的に輝度や焦点を調整された後に、状況に応じて、手動で微調整できるようにしてもよいことはもちろんである。
【００５１】
また、投影システムの投影方法については、以下のように説明することができる。まず、投影方向選択工程として、投影装置１０の設置方向を、縦向き（縦方向）か、横向き（横方向）か、を使用者が選択する。そして、装着工程として、使用者は、選択した設置方向に合わせて、投影装置を投影装置用載置台１００の載置面１４１に装着する。次に、電源接続工程として、使用者は、投影装置用載置台１００の電源プラグ部１５１を投影装置１０のプラグ差込口６１と接続する。そして、投影工程により、投影装置１０から下方に向けて投影光が出射される。
【００５２】
以上、本発明の実施形態を説明したが、本発明はこれに限られず、適宜変更を加えて実施することができる。
例えば、本実施形態においては、投影装置用載置台１００の載置面１４１に着脱係合部を設けた。そして、着脱係合部は、横向き用の第一着脱係合部と縦向き用の第二着脱係合部により形成した。第一着脱係合部は、投影装置１０の第一の面３０に設けた磁石３１と吸着する載置面１４１上での磁石１３１の磁力とした。一方、第二着脱係合部は、投影装置１０と機構的に係合する固定部１１０とした。
【００５３】
このような構成に換えて、横向き用の第一着脱係合部を機構的に係合するように、例えば凹凸に形成された係合部の係合とすることができる。また、縦向き用の第二着脱係合部を、投影装置１０に設けた磁石と吸着するように構成することもできる。また、磁力による係合、機構的な係合が併用されるようにしてもよい。
【００５４】
また、磁力により形成された着脱係合部は、本実施形態においては互いに吸着するよう両方に磁石を設けたが、一方に磁石を設けて、他方には鉄板等を設けて形成することもできる。
また、本実施形態におけるバッテリー１５８は二次電池としたが、一次電池等の各種バッテリーを採用することもできる。
【００５５】
さらに、本実施形態においては、ＡＣアダプター１５５としてＡＣ／ＤＣ変換器を投影装置用載置台１００の外部に設けたが、投影装置用載置台１００に内蔵することもできる。
その場合のブロック図を図１１に示す。
図１１では、投影装置用載置台３００は、電力供給部３５０として、ＡＣアダプター１５５、バッテリー１５８、電源制御部ＩＣ等からなる電源制御部１５９とを含む。
この場合、投影装置用載置台３００には、ＡＣ入力部としての電源プラグコード差込口３５４が備えられ、ＤＣ出力部としての電源プラグ部３５１が設けられる。
【００５６】
また、投影装置用載置台１００が、ＡＣアダプター１５５のみを内蔵するようにしてもよい。
その場合のブロック図を図１２に示す。
図１２では、投影装置用載置台４００は、電力供給部４５０として、ＡＣアダプター１５５のみを含む。
この場合、投影装置用載置台４００には、ＡＣ入力部としての電源プラグコード差込口４５４が備えられ、ＤＣ出力部としての電源プラグ部４５１が設けられる。
この構成においては、投影装置用載置台４００単体では、投影装置１０に電力を供給することはできないが、ＡＣアダプター１５５が邪魔になることなく、投影サイズ又は投影位置調整用のスマートな投影装置用載置台４００として利用することができる。
【００５７】
また、本実施形態における投影システムにおいては、投影装置１０に投影装置１０の縦横の向きを検出する投影装置縦横検出部を設けたが、これに換えて、手動スイッチにより縦横の向きを制御部に入力するように形成することもできる。
【００５８】
また、本実施形態における投影装置用載置台１００は、縦方向の投影について、投影装置用載置台１００に投影装置１０を載置するか否かの二通りの選択により投影面の大きさを変更できるように構成したが、投影装置用載置台１００の載置面を二段以上の多段に形成することにより、多数の投影面の大きさから任意の投影面の大きさを選択するように構成してもよい。
【００５９】
また、本実施形態における投影装置用載置台１００は、下面にチルトフット１３０を四隅に配置した。これに換えて、投影装置用載置台１００の下面の一辺の両端それぞれにチルトフット１３０を設け、このチルトフット１３０と対抗する一辺の両端の略中間位置にチルトフット１３０を設け、計三個のチルトフット１３０により調整部を形成することができる。
【００６０】
以上の本発明の実施形態によれば、投影装置用載置台１００は、載置台本体部１４０と、載置台本体部１４０の上面に載置面１４１を形成し、この載置面１４１に投影装置１０と係合する着脱係合部を形成した。そして、投影装置用載置台１００には、投影装置１０に電力を供給する電力供給部１５０を設けた。
【００６１】
これにより、投影装置用載置台１００は、投影装置１０に取り付けて一体的に携帯することができるとともに、投影装置１０に電力を供給する電力供給部としてバッテリー１５８を内蔵することができるので、商用電源等の電源が無い場所又は電源コードの引き回しが困難な場所においても、投影装置１０を使用することができる。
【００６２】
また、電力供給部１５０は、二次電池であるバッテリー１５８とすることができる。これにより、バッテリーを使用することにより電圧が低くなってしまっても、再度充電することにより再び投影装置１０を使用することができる。
【００６３】
また、投影装置用載置台１００にＡＣ／ＤＣ変換器を内蔵して、電力供給部１５０にＡＣ／ＤＣ変換器を組み込むこともできる。これにより、交流電源であるコンセントと投影装置用載置台１００を直接接続して投影装置１０に電力を供給することができるので、長時間に渡って投影装置１０を使用することができる。
【００６４】
また、投影装置用載置台１００は、ＡＣ入力部であるＡＣアダプター差込口１５４を備える。これにより、汎用的なＡＣアダプターを接続して利用することができる。
また、投影装置用載置台３００、４００は、それぞれＡＣ入力部である電源プラグコード差込口３５４、４５４を備える。これにより、汎用的なＡＣコードを接続して利用することができる。
【００６５】
また、投影装置用載置台１００、３００、４００は、それぞれＤＣ出力部として電源プラグ部１５１、３５１、４５１を備える。これにより、投影装置１０以外の投影装置に対しても、電力を供給することができる投影装置用載置台を提供することができる。また、投影装置用載置台１００（３００、４００）を、投影装置１０と一部仕様の異なる投影装置と組み合わせて共通に利用することができる。
【００６６】
また、投影装置１０と投影装置用載置台１００との着脱をする着脱係合部は、投影装置用載置台１００に設けられた磁石１３１による磁力により投影装置１０と着脱されるようにした。これにより、投影装置用載置台１００への投影装置１０の取り付け、取り外しを容易に行うことができる。
【００６７】
また、着脱係合部は、投影装置１０に設けられた磁石３１と、投影装置用載置台１００に設けられた磁石１３１とが互いに吸着するよう構成した。これにより、さらに投影装置１０と投影装置用載置台１００間の保持力を向上させることができる。そして、両者を接合する際に、接合位置が相互に吸着する磁石により定まるとともに、接合状態の維持の信頼性を高めることができる。
【００６８】
また、着脱係合部は、機構的な係合として、投影装置１０の凹部４１と、固定部１１０の係合突起１１１と係合作動部１１２との係合により形成した。これにより、投影装置１０は、投影装置用載置台１００に確実に接合して固定することができる。
【００６９】
また、着脱係合部は、第一着脱係合部と第二着脱係合部と、により形成した。そして、投影装置１０を投影装置用載置台１００へ横向きに載置する場合は、第一着脱係合部が用いられ、投影装置１０を投影装置用載置台１００へ縦向きに載置する場合は、第二着脱係合部が用いられ、載置されるようにした。
【００７０】
これにより、使用者は、投影装置用載置台１００を、壁面等に投影する横向きの投影と、机上等に投影する縦向きの投影とで、選択して使用することができる。さらに、縦向きの投影においては、使用者は、投影装置用載置台１００に載置するか否かを選択することにより、投影面の大きさを変更することができる。特に、焦点距離が数十センチ程度の超短焦点距離とされる投影装置においては、投影面内のフォーカスを一様にするために投影角度がある程度固定されるので、投影角度調整をせずに投影面の大きさを変更できる点で有効である。
【００７１】
また、投影装置用載置台１００の底面は、投影装置１０の縦向きの場合の底面よりも広く、投影装置用載置台１００を用いると、卓上に対する設置面積が広がるので、安定して投影装置１０を支持することができる。
【００７２】
また、投影装置用載置台１００には、バッテリー１５８等の電力供給部が設けられている。よって、投影装置１０を、縦向きに載置した場合には、電力供給部の重みにより、さらに安定して投影装置１０を支持することができる。
また、使用者は、投影装置１０を、壁面等に横向きに投影するように使用する場合であっても、投影装置用載置台１００を用いることにより、スクリーン上の投影位置をある程度調整することができる。
【００７３】
また、投影装置用載置台１００の載置面１４１の水平度を調整可能な調整部として、チルトフット１３０を設けた。これにより、投影装置１０を横向きに投影装置用載置台１００に載置した場合でも、縦向きに載置した場合でも、投影装置１０の水平度をある程度調整することができる。
【００７４】
また、チルトフット１３０は、投影装置用載置台１００と螺合接続されることにより、高さ調整ねじとして形成されている。よって、投影画像を見ながら容易に投影装置１０の水平度を微調整することができる。
【００７５】
また、チルトフット１３０は、投影装置用載置台１００の下面の四隅に設けた。これにより、水平度の調整がしやすい投影装置用載置台１００を提供することができる。
【００７６】
また、投影装置用載置台１００には、リモートコントローラ２００を収納するリモートコントローラ収納部１２０を設けた。これにより、リモートコントローラも併せて携帯用に収納することができる。さらに、リモートコントローラの紛失を防止することができる。
【００７７】
また、リモートコントローラ２００を収納するリモートコントローラ収納部１２０は、袋状に形成した。これにより、使用者は、不用意にリモートコントローラ２００の操作ボタンを押してしまうことが防止される。
【００７８】
また、投影装置１０，投影装置用載置台１００及びＡＣアダプター１５５で構成される投影システムは、投影装置１０の最大面の一つである第一の面３０と載置面１４１とを略同じ大きさになるよう形成した。これにより、投影装置１０と投影装置用載置台１００の接合面同士を合わせやすくなるので、確実に投影装置１０を投影装置用載置台１００の載置面１４１に載置して携帯を容易とすることができる。
【００７９】
また、投影システムは、投影装置１０の縦置き時に、投影装置１０の最大面である第一の面３０よりも小さい第二の面４０を下にして、この第二の面４０を投影装置用載置台１００の載置面１４１に載置できる。これにより、縦向きの投影を選択した場合においても投影装置用載置台１００を利用することができる。
【００８０】
また、投影システムは、投影装置１０に投影装置縦横検出部と、載置台載置検出部を設けた。そして、投影装置１０が縦向きに投影装置用載置台１００に載置されている場合には、投影面の輝度を上げたり、焦点を合わせたりするように制御部により投影部を制御するよう構成した。そして、この投影システムの投影方法は、投影方向選択工程と、投影装置１０を投影装置用載置台１００に取り付ける装着工程と、電源接続工程と、投影画像の投影工程と、により形成した。
【００８１】
これにより、投影装置１０を縦向きに投影装置用載置台１００に載置して投影面を拡大した場合においても、自動的に輝度調整を行うことができる。よって、投影面が拡大された場合においても、自動的に、明るくて、焦点が合って視認しやすい鮮明な投影画像を投影する投影システムを得ることができる。また、この投影システムの投影方法により、携帯性に優れ、投影装置１０に電力を供給することができる投影装置用載置台１００を用いて投影をすることができる。
【００８２】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００８３】
以下に、本願出願の最初の特許請求の範囲に記載された発明を付記する。
［１］投影装置が載置される投影装置用載置台であって、
箱型形状に形成される載置台本体部からなり、
前記載置台本体部の上面が、前記投影装置が載置される載置面となり、
前記載置台本体部は、
前記載置面に設けられ、前記投影装置と着脱自在に係合する着脱係合部と、
内部に設けられ、前記投影装置に電力を供給する電力供給部と、
を有することを特徴とする投影装置用載置台。
［２］前記電力供給部は、二次電池を有することを特徴とする前記［１］に記載の投影装置用載置台。
［３］前記電力供給部は、ＡＣ／ＤＣ変換器を有することを特徴とする前記［１］又は前記［２］に記載の投影装置用載置台。
［４］前記載置台本体部は、ＡＣ入力部を有することを特徴とする前記［１］乃至前記［３］の何れか記載の投影装置用載置台。
［５］前記載置台本体部は、ＤＣ出力部を有することを特徴とする前記［１］乃至前記［４］の何れか記載の投影装置用載置台。
［６］前記着脱係合部は、磁力により前記投影装置と着脱自在に係合することを特徴とする前記［１］乃至前記［５］の何れか記載の投影装置用載置台。
［７］前記着脱係合部は、前記投影装置に設けられた磁石と相互に吸着することを特徴とする前記［６］に記載の投影装置用載置台。
［８］前記着脱係合部は、前記投影装置と機構的に係合することを特徴とする前記［１］乃至前記［７］の何れか記載の投影装置用載置台。
［９］前記着脱係合部は、第一着脱係合部と、第二着脱係合部と、により形成され、
前記載置面に前記投影装置を載置して係合するとき、
前記第一着脱係合部により、前記投影装置は横向きとして係合され、
前記第二着脱係合部により、前記投影装置は縦向きとして係合されることを特徴とする前記［１］乃至前記［８］の何れか記載の投影装置用載置台。
［１０］前記載置面は、前記載置面と係合する前記投影装置の縦向き時の被載置面より広いことを特徴とする前記［１］乃至前記［９］の何れか記載の投影装置用載置台。
［１１］前記載置台本体部は、下面に前記載置面の水平度を調整可能とする調整部を有することを特徴とする前記［１］乃至前記［１０］の何れか記載の投影装置用載置台。
［１２］前記載置台本体部は、前記投影装置を遠隔操作するためのリモートコントローラを収納する収納部を有することを特徴とする前記［１］乃至前記［１１］の何れか記載の投影装置用載置台。
［１３］前記［１］乃至前記［１２］の何れか記載の投影装置用載置台と、
投影画像を投影する投影部が設けられ、箱型形状に形成された投影装置と、を有し、
前記投影装置の最大面と前記載置面とが略同じ大きさであることを特徴とする投影システム。
［１４］前記投影装置は、縦置き時に前記最大面より小さい面を下にして前記載置面に載置されることを特徴とする前記［１３］に記載の投影システム。
［１５］前記投影装置の縦横の向きを検出する投影装置縦横検出部と、
前記投影装置の前記投影装置用載置台への載置を検出する載置台載置検出部と、
前記投影部を制御する制御部と、
を有し、
前記制御部は、前記投影装置縦横検出部により前記投影装置の向きが縦向きであると検出された場合に、前記載置台載置検出部の検出結果に基づいて、前記投影部が投影する投影光の輝度を制御することを特徴とする前記［１３］又は前記［１４］に記載の投影システム。
［１６］前記制御部は、前記投影装置縦横検出部により前記投影装置の向きが縦向きであると検出された場合に、前記載置台載置検出部の検出結果に基づいて、前記投影部が投影する投影光の焦点を制御することを特徴とする前記［１３］乃至前記［１５］の何れか記載の投影システム。
［１７］投影装置の設置方向を縦方向か横方向かを使用者が選択する投影方向選択工程と、
前記投影方向選択工程で選択した設置方向に合わせて、前記投影装置を投影装置用載置台の載置面に装着する装着工程と、
前記投影装置用載置台に設けられた電力供給部と前記投影装置を接続する電源接続工程と、
前記投影装置用載置台に前記投影装置を載置して投影する投影画像の投影工程と、
を有することを特徴とする投影システムの投影方法。
【符号の説明】
【００８４】
１０  投影装置                          ２０  本体部
２１  投光口蓋                          ２２  吸排気孔
３０  第一の面                          ３１  磁石
３５  係合部                            ４０  第二の面
４１  凹部                              ５１  非球面ミラー
５２  平面ミラー                        ５３  投射口
６１  プラグ差込口                      ７０  スピーカー
１００、３００、４００  投影装置用載置台
１１０  固定部                          １１１  係合突起
１１２  係合作動部                      １１４  操作レバー
１１６  当接部                          １１７  当接部
１２０  リモートコントローラ収納部      １３０  チルトフット
１３１  磁石                            １４０  載置台本体部
１４１  載置面                          １５０、３５０、４５０  電力供給部
１５１、３５１、４５１  電源プラグ部    １５２  電源コード
１５３  接続プラグ                      １５４  ＡＣアダプター差込口
３５４、４５４  電源プラグコード差込口
１５５  ＡＣアダプター                  
１５６  差込プラグ                      １５７  コンセントプラグ
１５８  バッテリー                      １５９  電源制御部
１８０  電源
２００  リモートコントローラ
【図１】
2015179176.tif 000003
【図２】
2015179176.tif 000004
【図３】
2015179176.tif 000005
【図４】
2015179176.tif 000006
【図５】
2015179176.tif 000007
【図６】
2015179176.tif 000008
【図７】
2015179176.tif 000009
【図８】
2015179176.tif 000010
【図９】
2015179176.tif 000011
【図１０】
2015179176.tif 000012
【図１１】
2015179176.tif 000013
【図１２】
2015179176.tif 000014